(57)【要約】【課題】  より効率的な設備管理を実現する。【解決手段】  マップ画面２４のマップ領域３４に、エリアの平面図８４が表示される。そして、この平面図８４上に、複数台のトラップに対応する複数のアイコン８６，８６，…が表示される。これらのアイコン８６，８６，…には、文字，色彩および囲み線が付されており、これらの文字，色彩および囲み線によって、対応するトラップの用途，稼働状況および不良率（故障発生率）が表現される。従って、当該文字，色彩および囲み線という各アイコン８６，８６，…の態様から、各トラップの用途，稼働状況および不良率という属性を、直観的かつ同時に把握することができる。これは、複数台のトラップが設置されている蒸気プラントを管理するのに、極めて有効である。【選択図】        図３
2006059236.tif 000002
【特許請求の範囲】
【請求項１】
設備を構成する複数の機器の属性を表す属性データが記憶された記憶手段と、
表示画面を有する表示手段と、
前記表示画面に前記設備の見取図を表示させる第１表示制御手段と、
前記見取図上に前記複数の機器のそれぞれに対応する表示子を前記属性データに従う態様で表示させる第２表示制御手段と、を具備し、
前記属性データは前記複数の機器のそれぞれの用途を表す用途データを含み、
前記第２表示制御手段は前記用途毎に異なる態様で前記表示子を表示させる、設備管理装置。
【請求項２】
設備を構成する複数の機器の属性を表す属性データが記憶された記憶手段と、
表示画面を有する表示手段と、
前記表示画面に前記設備の見取図を表示させる第１表示制御手段と、
前記見取図上に前記複数の機器のそれぞれに対応する表示子を前記属性データに従う態様で表示させる第２表示制御手段と、を具備し、
前記属性データは前記複数の機器の稼働状況を表す稼働状況データを含み、
前記稼働状況は３以上のパターンに区分されており、
前記第２表示制御手段は前記稼働状況毎に異なる態様で前記表示子を表示させる、設備管理装置。
【請求項３】
設備を構成する複数の機器の属性を表す属性データが記憶された記憶手段と、
表示画面を有する表示手段と、
前記表示画面に前記設備の見取図を表示させる第１表示制御手段と、
前記見取図上に前記複数の機器のそれぞれに対応する表示子を前記属性データに従う態様で表示させる第２表示制御手段と、を具備し、
前記属性データは前記複数の機器のそれぞれが不良となる度合を表す度合データを含み、
前記第２表示制御手段は前記度合毎に異なる態様で前記表示子を表示させる、設備管理装置。
【請求項４】
前記複数の機器のそれぞれについて成された検査の結果に基づいて前記度合を判定する判定手段と、
前記判定手段による判定結果に基づいて前記度合データを生成し前記属性データに組み込む組み込み手段と、をさらに備える、請求項３に記載の設備管理装置。
【請求項５】
前記判定手段によって判定が行われる際の判定基準を任意に変更する変更手段をさらに備える、請求項４に記載の設備管理装置。
【請求項６】
前記見取図は画像データに基づいて表示される、請求項１ないし５のいずれかに記載の設備管理装置。
【請求項７】
前記複数の機器はトラップを含む、請求項１ないし６のいずれかに記載の設備管理装置。
【請求項８】
表示手段の表示画面に設備の見取図を表示させる第１表示制御手順と、
前記見取図上に前記設備を構成する複数の機器のそれぞれに対応する表示子を記憶手段に記憶された該複数の機器の属性を表す属性データに従う態様で表示させる第２表示制御手順と、をコンピュータに実行させるための設備管理プログラムであって、
前記属性データは前記複数の機器のそれぞれの用途を表す用途データを含み、
前記第２表示制御手順において前記用途毎に異なる態様で前記表示子を表示させる、設備管理プログラム。
【請求項９】
表示手段の表示画面に設備の見取図を表示させる第１表示制御手順と、
前記見取図上に前記設備を構成する複数の機器のそれぞれに対応する表示子を記憶手段に記憶された該複数の機器の属性を表す属性データに従う態様で表示させる第２表示制御手順と、をコンピュータに実行させるための設備管理プログラムであって、
前記属性データは前記複数の機器の稼働状況を表す稼働状況データを含み、
前記稼働状況は３以上のパターンに区分されており、
前記第２表示制御手順において前記稼働状況毎に異なる態様で前記表示子を表示させる、設備管理プログラム。
【請求項１０】
表示手段の表示画面に設備の見取図を表示させる第１表示制御手順と、
前記見取図上に前記設備を構成する複数の機器のそれぞれに対応する表示子を記憶手段に記憶された該複数の機器の属性を表す属性データに従う態様で表示させる第２表示制御手順と、をコンピュータに実行させるための設備管理プログラムであって、
前記属性データは前記複数の機器のそれぞれが不良となる度合を表す度合データを含み、
前記第２表示制御手順において前記度合毎に異なる態様で前記表示子を表示させる、設備管理プログラム。
【発明の詳細な説明】
【技術分野】
【０００１】
この発明は、設備管理装置および設備管理プログラムに関し、特に例えば、設備を構成する複数の機器を管理するための設備管理装置および設備管理プログラムに関する。
【背景技術】
【０００２】
この種の技術として、従来、例えば特許文献１に開示されたものがある。この従来技術によれば、表示手段の表示画面に設備の見取図が表示されると共に、この見取図上に各機器に対応する表示子が表示される。そして、いずれかの表示子が選択される、具体的にはマウスによりダブルクリックされると、ダブルクリックされた表示子に対応する機器の詳細データ、例えば当該機器の種類（作動原理上の種類）や型式、製造会社名等の言わば属性情報が、表示される。つまり、マウスのダブルクリックという操作によって、個々の機器がどのような属性のものであるのかを認識することができる。
【特許文献１】特開平１１−３９０３０号公報
【発明の開示】
【発明が解決しようとする課題】
【０００３】
ところで、上述の属性情報（詳細データ）の中には、機器の管理上、必要性の高いものとそうでないものとが存在する。例えば、当該機器が蒸気プラントに設置されているスチームトラップである場合は、個々のトラップがどのような目的で使用されているのか、つまり用途が、重視される。かかる用途は、設備全体における個々のトラップの重要度、ひいては当該トラップが設けられている個々の配管の重要度と、密接に関係するからである。しかし、上述の従来技術では、任意のトラップの用途を確認するのに、マウスのダブルクリック操作によって当該トラップの属性情報を表示させる必要がある。しかも、１回のダブルクリック操作によって１台のトラップの属性情報しか表示させることができず、つまり複数台のトラップの属性情報を同時に表示させることができない。従って、例えば、複数台のトラップの場所および用途を併せて確認したい場合には、それぞれのトラップ毎にダブルクリック操作が必要となり、非効率的である。
【０００４】
また、上述の従来技術によれば、“正常”の状態にある機器の表示子と、“異常”の状態にある機器の表示子とが、互いに異なる態様で表示されるので、当該表示子の態様から、それぞれの機器が“正常”および“異常”のいずれの状態にあるのかを直観的に認識することができる、とされている。しかしながら、現実の設備においては、“正常”および“異常”のいずれにも属さない、例えば“休止中”や“未検査”の状態にある機器も存在する。また、機器がトラップである場合には、“異常”の種類が幾つかあり、例えば“漏れ”や“詰まり”がある。即ち、従来技術では、表示子の態様からそれぞれの機器が“正常”なのか“異常”なのかを認識することはできるが、それ以上の詳しい内容、例えば“休止中”や“未検査”の状態にある機器、或いは“異常”の種類等を、知ることができない。このような個々の機器の具体的な稼働状況を知る場合にも、やはりダブルクリック操作が必要となり、この点でも、非効率的である。
【０００５】
さらに、例えば、互いに同じ規格（型式）の機器であっても、それぞれの用途や設置場所等の違いによって、互いの寿命、換言すれば不良となる度合（言わば故障発生率）が、異なることがある。かかる度合を認識することができれば、特にこれを直感的に把握することができるようになれば、例えば当該度合が高い（寿命が短い）傾向にある箇所にはより耐久性の高い機器を採用する等の適切な対策を講ずることができ、より効率的な設備管理を行うことができる。
【０００６】
そこで、この発明は、従来よりも効率的に設備管理を行うことができる設備管理装置および設備管理プログラムを提供することを、目的とする。
【課題を解決するための手段】
【０００７】
かかる目的を達成するために、第１の発明は、設備を構成する複数の機器の属性を表す属性データが記憶された記憶手段と、表示画面を有する表示手段と、当該表示画面に設備の見取図を表示させる第１表示制御手段と、当該見取図上に各機器に対応する表示子を属性データに従う態様で表示させる第２表示制御手段と、を具備する設備管理装置であって、属性データは各機器の用途を表す用途データを含み、第２表示制御手段は当該用途毎に異なる態様で表示子を表示させる、ものである。
【０００８】
即ち、第１の発明では、設備を構成する複数の機器の属性を表す属性データが、記憶手段に記憶されている。この属性データには、各機器の用途を表す用途データが、含まれている。そして、第１表示制御手段が、表示手段の表示画面に設備の見取図を表示させ、第２表示制御手段が、当該見取図上に各機器に対応する表示子を表示させる。これらの表示子は、属性データに従う態様、具体的には対応する機器の用途に従う態様で、表示される。このように、表示子自体が機器の用途を含む属性を表すという機能を有するので、当該表示子の態様から、それぞれの機器の属性を直観的かつ同時に認識することができる。
【０００９】
なお、見取図は、例えばビットマップ（BitMap）形式やＧＩＦ（Graphics
Interchange Format）形式，ＪＰＥＧ（Joint Photographic coding Experts Group）形式等の画像データに基づいて表示されるものであってもよい。
【００１０】
また、ここで言う機器としては、例えばスチームトラップやエアトラップ等のトラップがある。
【００１１】
第２の発明は、設備を構成する複数の機器の属性を表す属性データが記憶された記憶手段と、表示画面を有する表示手段と、当該表示画面に設備の見取図を表示させる第１表示制御手段と、当該見取図上に各機器に対応する表示子を属性データに従う態様で表示させる第２表示制御手段と、を具備する設備管理装置であって、属性データは各機器の稼働状況を表す稼働状況データを含み、当該稼働状況は３以上のパターンに区分されており、さらに第２表示制御手段は当該稼働状況毎に異なる態様で表示子を表示させる、ものである。
【００１２】
即ち、第２の発明においても、第１の発明と同様に、設備を構成する複数の機器の属性を表す属性データが、記憶手段に記憶されている。そして、この第２の発明における属性データには、各機器の稼働状況を表す稼働状況データが、含まれている。なお、ここで言う稼働状況は、少なくとも３以上のパターンに区分されている。そして、第１表示制御手段が、表示手段の表示画面に設備の見取図を表示させ、第２表示制御手段が、当該見取図上に各機器に対応する表示子を表示させる。これらの表示子は、属性データに従う態様、具体的には対応する機器の稼働状況に従う態様で、表示される。従って、当該表示子の態様から、それぞれの機器が３パターン以上に区分された稼働状況のいずれに属するのかを含む当該機器の属性を、直観的かつ同時に認識することができる。例えば、それぞれの機器が“正常”なのか“異常”なのかだけでなく、当該機器のより詳細な稼働状況を認識することができる。
【００１３】
第３の発明は、設備を構成する複数の機器の属性を表す属性データが記憶された記憶手段と、表示画面を有する表示手段と、当該表示画面に設備の見取図を表示させる第１表示制御手段と、当該見取図上に各機器に対応する表示子を属性データに従う態様で表示させる第２表示制御手段と、を具備する設備管理装置であって、属性データはそれぞれの機器が不良となる度合を表す度合データを含み、第２表示制御手段は当該度合毎に異なる態様で表示子を表示させる、ものである。
【００１４】
即ち、この第３の発明においても、設備を構成する複数の機器の属性を表す属性データが、記憶手段に記憶されている。そして、属性データには、それぞれの機器が不良となる度合を表す度合データが、含まれている。そして、第１表示制御手段が、表示手段の表示画面に設備の見取図を表示させ、第２表示制御手段が、当該見取図上に各機器に対応する表示子を表示させる。これらの表示子は、属性データに従う態様で表示され、具体的には当該度合毎に異なる態様で表示される。従って、それぞれの表示子の態様から、対応する機器が不良となる度合を含む当該機器の属性を、直観的かつ同時に認識することができる。
【００１５】
なお、この第３の発明においては、上述の度合データを設定するべく、それぞれの機器について成された検査の結果に基づいて上述の度合を判定する判定手段と、この判定手段による判定結果に基づいて当該度合データを生成し属性データに組み込む組み込み手段と、を設けてもよい。
【００１６】
この場合、判定手段によって判定が行われる際の判定基準を任意に変更する変更手段を、さらに設けてもよい。
【００１７】
第４の発明は、表示手段の表示画面に設備の見取図を表示させる第１表示制御手順と、当該見取図上に、設備を構成する複数の機器のそれぞれに対応する表示子を、記憶手段に記憶された各機器の属性を表す属性データに従う態様で表示させる第２表示制御手順と、をコンピュータに実行させるための設備管理プログラムであって、属性データは、各機器の用途を表す用途データを含み、第２表示制御手順において、当該用途毎に異なる態様で表示子を表示させる、ものである。
【００１８】
即ち、この第４の発明の設備管理プログラムをコンピュータに実行させることによって、第１の発明と同様の設備管理装置を実現することができる。
【００１９】
第５の発明は、表示手段の表示画面に設備の見取図を表示させる第１表示制御手順と、当該見取図上に、設備を構成する複数の機器のそれぞれに対応する表示子を、記憶手段に記憶された各機器の属性を表す属性データに従う態様で表示させる第２表示制御手順と、をコンピュータに実行させるための設備管理プログラムであって、属性データは各機器の稼働状況を表す稼働状況データを含み、当該稼働状況は３パターン以上に区分されており、さらに第２表示制御手順において当該稼働状況毎に異なる態様で表示子を表示させる、ものである。
【００２０】
即ち、この第５の発明の設備管理プログラムをコンピュータに実行させることによって、第２の発明と同様の設備管理装置を実現することができる。
【００２１】
第６の発明は、表示手段の表示画面に設備の見取図を表示させる第１表示制御手順と、当該見取図上に、設備を構成する複数の機器のそれぞれに対応する表示子を、記憶手段に記憶された各機器の属性を表す属性データに従う態様で表示させる第２表示制御手順と、をコンピュータに実行させるための設備管理プログラムであって、属性データはそれぞれの機器が不良となる度合を表す度合データを含み、第２表示制御手順において当該度合毎に異なる態様で表示子を表示させる、ものである。
【００２２】
即ち、この第６の発明の設備管理プログラムをコンピュータに実行させることによって、第３の発明と同様の設備管理装置を実現することができる。
【発明の効果】
【００２３】
この発明によれば、表示子自体が機器の属性を表すという機能を有するので、当該表示子の態様から、対応する機器の属性、例えば用途や稼働状況、或いは不良となる度合等を、直観的かつ同時に把握することができる。従って、それぞれの機器の詳しい属性を知るのに当該機器毎にダブルクリック操作が必要となる上述した従来技術に比べて、設備管理を効率的に行うことができる。
【発明を実施するための最良の形態】
【００２４】
この発明の一実施形態について、例えばスチームトラップを管理するためのトラップ管理装置を例に挙げて説明する。
【００２５】
図１に示すように、この実施形態に係るトラップ管理装置１０は、ＣＰＵ（Central
Processing Unit）を含む制御部１２を有している。そして、この制御部１２には、操作手段としての操作部１４、表示手段としての表示部１６、記憶手段としての記憶部１８、および図示しない複数の入出力端子を備えた入出力インタフェース部（以下、Ｉ／Ｏ部と言う。）２０が、接続されている。このようなトラップ管理装置１０は、例えばタブレットＰＣ（Personal
Computer）によって実現され、具体的には当該タブレットＰＣにトラップ管理プログラムがインストールされることによって実現される。
【００２６】
なお、トラップ管理プログラムは、例えば図示しないＣＤ−ＲＯＭ（Compact
Disk Read Only Memory）によって供給される。このため、Ｉ／Ｏ部２０は、上述した入出力端子として、ＣＤ−ＲＯＭドライブ装置が接続されるＵＳＢ（Universal
Serial Bus）端子を備えている。そして、このＣＤ−ＲＯＭドライブ装置により読み取られたトラップ管理プログラムは、制御部１２による制御によって、記憶部１８を構成する図示しないバードディスク装置に記憶され、つまりインストールされる。このインストールの完了後、ＣＤ−ＲＯＭドライブ装置はＵＳＢ端子から取り外される。
【００２７】
また、Ｉ／Ｏ部２０は、上述のＵＳＢ端子以外にも、例えばＲＳ−２３２Ｃ端子を備えている。そして、このＲＳ−２３２Ｃ端子には、外部装置として、後述するＩＤ（ＲＦＩＤ；Radio Frequency Identification）読み込み装置およびトラップ検査装置が接続される。ただし、これらＩＤ読み取り装置およびトラップ検査装置は、例えばトラップが設置されている場所（いわゆる現場）にこのトラップ管理装置１０が持ち込まれるときにのみ、接続される。
【００２８】
さらに、表示部１６は、操作部１４としても機能する液晶型タッチスクリーン構成とされている。従って、操作部１４には、当該タッチスクリーンを操作（タッチ）するための図示しない入力用ペン（スタイラスペン）が、付属されている。
【００２９】
そしてさらに、上述のハードディスク装置（記憶部１８）には、蒸気プラントに設置されている全てのトラップに関するデータ、詳しくは個々のトラップの属性を表す属性データが、記憶されている。具体的には、当該ハードディスク装置には、これらの属性データを統合したデータベース２２が記憶されており、このデータベース２２には、図２に示すように、当該属性データとして、それぞれのトラップ毎の“エリア（設置エリア）”，“管理番号”，“種類（作動原理）”，“型式”，“製造会社”，“設置日”，“用途”，“蒸気圧力”，“検査結果”，“不良率”等を表すデータが、格納されている。
【００３０】
これらのうち、“エリア”は、３桁の数値で表され、“管理番号”は、５桁の数値で表される。そして、実際の管理では、これら“エリア”を表す３桁の数値と“管理番号”を表す５桁の数値との組み合わせによって、個々のトラップが特定（識別）される。また、“検査結果”は、上述したトラップ検査装置による検査結果を言い、当該“検査結果”には、検査が行われた日時も含まれる。なお、図２では、“検査結果”の項は１つしか設けられていないが、実際には複数設けられている。そして、これら複数の“検査結果”項に、トラップ検査装置による検査結果が順次記憶され、つまり蓄積される。さらに、“不良率”とは、トラップが不良となる度合（言わば故障発生率）のことを言い、この“不良率”は、“検査結果”に基づいて判定される。この“不良率”の判定手順については、後で詳しく説明する。また、通常、トラップにはバイパスバルブ等の補助的部材が付属されるが、このバイパスバルブを含む各種補助的部材の属性、例えば“管理番号”，“型式”，“製造会社名”，“設置日”，“用途”，“蒸気圧力”，“検査結果”等に関するデータも、それぞれのトラップの属性データとしてデータベース２２に記憶されている。
【００３１】
さて、上述のトラップ管理プログラムが起動されると、表示部１６の表示画面に、図示しないメイン画面（ウィンドウ）が表示される。このメイン画面には、それぞれのエリアに対応するマップファイルの一覧が表示される。そして、いずれかのマップファイルが選択される（ペン先でタッチされる）と、表示部１６の表示画面に、例えば図３に示すようなマップ画面（ダイアログボックス）２４が表示される。
【００３２】
このマップ画面２４においては、その上部に、横長のタイトルバー３０が表示される。そして、このタイトルバー３０内に、当該マップ画面２４の見出しである例えば“Map-001”という文字列３２が、左詰めで表示される。なお、この“Map-001”という文字列３２は、上述のメイン画面において“００１”番のエリアが選択されたことを表す。そして、タイトルバー３０の下方のクライアント領域３３に、当該クライアント領域３３の過半を占める矩形のマップ領域３４が表示され、このマップ領域３４の周りを囲むように、リスト領域３６、各種ボタン３８〜８０、およびフィールド８２が表示される。
【００３３】
このうち、マップ領域３４には、エリアの見取図、例えば平面図８４が、表示される。また、このマップ領域３４には、当該エリア内のどこにどのようなトラップが配置されているのかを表す表示子としてのアイコン８６，８６，…も、表示される。さらに、これらのアイコン８６，８６，…の近傍に、対応するトラップの識別番号、つまりエリア番号と管理番号とをハイフン（−）で組み合わせた番号を表す文字列８８，８８，…が、表示される。そしてさらに、これらのアイコン８６，８６，…とは異なるグループアイコン９０および要注意アイコン９２も、表示される。また、任意の文字列（コメント）９４が記されたコメントボックス９６も、表示される。
【００３４】
それぞれのアイコン８６は、円形の形状をしており、その内部には、アルファベットの文字が、付されている。この文字は、対応するトラップの用途を表し、具体的には、図４に示すように、当該文字が“Ｌ”である場合には、対応するトラップが“主管（Drip Line）”用であることを表す。そして、この文字が“Ｐ”である場合には、対応するトラップが“諸装置（Process group）”用であることを表し、当該文字が“ＴＣ”の場合は、“銅管製トレースライン（Copper
Tracer）”用であることを表す。さらに、“ＴＦ”は、“鋼管製トレースライン（Steel Tracer）”用を表し、“ＴＳ”は、“ステンレス管製トレースライン（Stainless
steel Tracer）”用を表す。そして、“Ｏ”は、“その他（Other group）”を表す。これらの用途（文字）は、上述したデータベース２２内の“用途”に基づいて、区分けられる。即ち、データベース２２内の“用途”項には、それぞれのトラップ毎に“主管”，“諸装置”，“銅管製トレースライン”，“鋼管製トレースライン”，“ステンレス管製トレースライン”および“その他”のいずれかを表すデータが記憶されている。そして、この“用途”項のデータに基づいて、各アイコン８６，８６，…に付される文字が決定される。
【００３５】
つまり、この実施形態によれば、各アイコン８６，８６，…に付された文字から、それぞれに対応するトラップの用途を、直観的かつ同時に把握することができる。この用途は、上述したように個々のトラップの重要度、ひいては個々の配管の重要度と密接に関係するので、かかる用途を直観的かつ同時に把握できるということは、トラップを含む蒸気プラント全体を管理する上で、極めて有効である。
【００３６】
また、各アイコン８６，８６，…（円の内側）には、色彩が付されている。そして、この色彩は、対応するトラップの稼働状況を表している。例えば、“正常”であるトラップに対応するアイコン８６は、緑色で表される。そして、比較的に小規模な（緊急の対策を要しない程度の）漏れを生じている言わば“漏れ小”の状態にあるトラップは、黄色のアイコン８６で表され、それよりも大規模な“漏れ”を生じているトラップは、赤色のアイコン８６で表される。さらに、“詰まり”を生じているトラップは、青色のアイコン８６で表され、“休止中”の状態にあるトラップは、灰色のアイコン８６で表される。また、“未検査”の状態にあるトラップ、詳しくは予定されている検査が未だ実施されていないトラップは、白色で表される。これらの稼働状況（色彩）は、データベース２２内の最新の“検査結果”に基づいて、区分けられる。つまり、データベース２２内の“検査結果”項には、それぞれのトラップ毎に“正常”，“漏れ小”，“漏れ”，“詰まり”，“休止中”および“未点検”のいずれかを表すデータが、“検査日時”を表すデータと共に、記憶されている。そして、この“検査日時”が最新の“検査結果”項のデータに基づいて、各アイコン８６，８６，…の色彩が決定される。
【００３７】
従って、この実施形態によれば、各アイコン８６，８６，…の色彩から、それぞれに対応するトラップの稼働状況を、直観的かつ同時に把握することができる。しかも、当該稼動状況として、“正常”および“異常”のみならず、“休止中”および“未検査”という状況をも知ることができる。さらに、“異常”については、“漏れ小”，“漏れ”および“詰まり”という当該“異常”の具体的な種類を認識することができる。このこともまた、蒸気プラントを管理する上で、極めて有効である。
【００３８】
さらに、各アイコン８６，８６，…の周縁は、太線で囲まれている。そして、この太線（言わば囲み線）の種類、例えば色によって、上述した不良率が表現される。具体的には、当該囲み線の色が黒（図では実線）である場合は、対応するトラップの不良率が比較的に低い言わば“低不良率”であることを表す。一方、囲み線の色が赤（図では点線）である場合には、対応するトラップの不良率が比較的に高い言わば“高不良率”であることを表す。かかる不良率（囲み線の種類）は、データベース２２内の“不良率”に基づいて、区分けられる。つまり、データベース２２内の“不良率”項には、それぞれのトラップ毎に“低不良率”および“高不良率”のいずれかを表すデータが、記憶されている。そして、この“不良率”項のデータに基づいて、各アイコン８６，８６，…の囲み線の種類が決定される。
【００３９】
つまり、各アイコン８６，８６，…の囲み線の種類（色）から、それぞれに対応するトラップの不良率を、直観的かつ同時に把握することができる。従って、例えば当該不良率が高い（言わば故障し易い）傾向にある箇所にはより耐久性の高いトラップを採用する等の適切な処置を講ずることができ、より効果的なプラント管理を行うことができる。
【００４０】
一方、グループアイコン９０は、複数のトラップの集合体を表す。例えば、複数のトラップが比較的に狭い場所に密集して設けられており、これらのトラップを個別のアイコン８６，８６，…で表示するのが困難なときに、当該グループアイコン９０が用いられる。
【００４１】
ここで、任意のグループアイコン９０がペン先でタッチされるとする。すると、図５に符号９８で示すように、タッチされたグループアイコン９０の近傍に吹き出しマークが表示される。そして、この吹き出しマーク９８内に、上述したのと同様のアイコン８６，８６，…が、例えば縦１列に表示される。これらのアイコン８６，８６，…は、グループアイコン９０に包含されているトラップのそれぞれに対応し、当該各アイコン８６，８６，…に付されている文字、色彩および囲み線の種類は、それぞれに対応するトラップの用途、稼働状況および不良率を表している。また、これらのアイコン８６，８６，…の近傍には、上述したのと同様の文字列８８，８８，…、つまり各トラップの識別番号が、表示される。
【００４２】
さらに、グループアイコン９０自体にも、色彩が付されている。そして、この色彩によって、当該グループアイコン９０に包含されている（つまり吹き出しマーク９８内のアイコン８６，８６，…に対応する）トラップが全て“正常”であるか否かが、表現されている。例えば、グループアイコン９０に包含されているトラップが全て“正常”である場合、換言すれば吹き出しマーク９８内の全てのアイコン８６，８６，…が緑色で表されている場合、当該グループアイコン９０は、図６（ａ）に示すように、緑色で表示される。一方、グループアイコン９０に“正常”でないトラップが包含されている場合、換言すれば吹き出しマーク９８内のアイコン８６，８６，…のいずれかが緑色以外の色彩で表されている場合、当該グループアイコン９０は、図６（ｂ）に示すように、赤色で表示される。
【００４３】
このように、この実施形態によれば、複数のトラップが密集して設置されている場合には、これらのトラップは、グループアイコン９０によって一括して表示される。従って、マップ領域３４上が多数のアイコン８６，８６，…で煩雑になるのを防止でき、当該マップ領域３４が簡潔になって見易くなる。このことは、多数のトラップが設置されている蒸気プラントを管理する上で、極めて有効である。
【００４４】
しかも、グループアイコン９０の色彩から、当該グループアイコン９０に包含されているトラップが全て“正常”であるか否かを直観的に把握することができ、言わばこれらのトラップの稼働状況を予備的に認識することができる。このこともまた、多数のトラップを管理する上で、非常に有用である。
【００４５】
そして、要注意アイコン９２は、次のような意味合いを持つ。即ち、上述したように、各トラップにはバイパスバルブ等の補助的部材が付属されており、この補助的部材の属性データもまたデータベース２２に記憶されている。ここで、いずれかの補助的部材に何らかの“異常”が生じている、具体的にはデータベース２２内の当該補助的部材に対応する“検査結果”項に“異常”というデータが記憶されている、とする。この場合、当該“異常”の状態にある補助的部材が付属されたトラップが、要注意アイコン９２で表示される。つまり、この要注意アイコン９２の表示から、これに対応するトラップの補助的部材に“異常”が生じていることを、直観的に把握することができる。
【００４６】
さらに、この要注意アイコン９２がペン先でタッチされると、図７に符号１００で示すように、当該要注意アイコン９２の近傍に概略矩形の付箋マークが表示される。そして、この付箋マーク１００内に、“異常”の概要、例えば当該“異常”を生じている補助的部材の識別番号（エリア番号と管理番号との組み合わせ）およびその“異常”の内容を表す文字列１０２が、表示される。従って、この付箋マーク１００の表示から、換言すれば要注意アイコン９２をタッチするだけで、補助的部材に生じている“異常”の概要を認識することができる。このことは、例えば当該補助的部材の“異常”が急を要するものであるか否かを判断するのに、極めて有用である。
【００４７】
なお、要注意アイコン９２は、例えば図８に示すように、円形の形状をしており、その内部は、黄色で塗りつぶされている。そして、この黄色で塗りつぶされた円内に、赤色の“！”マークが付された態様とされている。また、この要注意アイコン９２は、対応するトラップが“正常”であり、かつ当該トラップに付属されている補助的部材が“異常”である場合にのみ、アイコン８６に代えて表示される。従って、トラップ自体が“正常”でない場合、つまり“漏れ小”，“漏れ”，“詰まり”，“休止中”および“未点検”のいずれかの状態にある場合は、たとえ補助的部材が“異常”であったとしても、当該トラップ自体の状態に応じた態様（色彩）のアイコン８６が、優先的に表示される。
【００４８】
そして、コメントボックス９６は、マップ領域３４上に任意のコメントを付記するためのものであり、例えば図３においては、当該コメントとして“NC&MC machine”という文字列９４が付記されている。これは、このコメントボックス９６で示される場所に、ＮＣ（Numerical
Control）機械およびＭＣ（Machining Center）機械が設置されていることを表す。なお、後述するが、このコメントボックス９６内の文字列９４の内容（コメント）は、任意に変更することができる。
【００４９】
これらの平面図８４，アイコン８６，８６，…，文字列８８，８８，…，グループアイコン９０，要注意アイコン９２およびコメントボックス９６が表示されるマップ領域３４は、図９に示すように、２つのレイヤ１０６および１０８を有している。そして、これら２つのレイヤ１０６および１０８の一方、例えば第１レイヤ１０６に、平面図８４が表示される。この平面図８４は、ビットマップ形式やＧＩＦ形式，或いはＪＰＥＧ形式等の画像データに基づいて表示される。なお、画像データは、例えば図示しない紙面に描画された設計図等をスキャナで読み取ることによって得られたものである。
【００５０】
そして、他方の第２レイヤ１０８に、平面図８４以外の要素、つまりアイコン８６，８６，…，文字列８８，８８，…，グループアイコン９０，要注意アイコン９２およびコメントボックス９６が、表示される。また、上述した吹き出しマーク９８および付箋マーク１００も、当該第２レイヤ１０８に表示される。そして、これらの第１レイヤ１０６および第２レイヤ１０８が互いに合成されることで、マップ領域３４が構成される。
【００５１】
なお、後述するが、第２レイヤ１０８に表示されている各要素（アイコン８６，８６，…，グループアイコン９０，要注意アイコン９２およびコメントボックス９６）は、任意に削除可能とされている。また、任意の要素を追加したり、或いは任意の要素の配置を変更したりすることもできる。なお、各要素のうちアイコン８６が削除，追加または配置変更されたときは、これに付随する文字列８８も同時に削除，追加および配置変更される。
【００５２】
図３に戻って、マップ領域３４の左横方に、当該マップ領域３４よりも小さい縦長矩形のリスト領域３６が表示される。このリスト領域３６には、蒸気プラントに設置されているトラップの一覧が表示され、詳しくは各トラップの識別番号および型式を表す文字列１１０，１１０，…が縦一列に表示される。従って、これらの文字列１１０，１１０，…、つまりリストから、蒸気プラントにどのような（識別番号および型式の）トラップが設置されているのかを、確認することができる。
【００５３】
ただし、上述したように蒸気プラントには多数のトラップが設置されているので、これら全てのトラップの情報（識別番号および型式）がリスト領域３６に表示されると、例えば目的のトラップを探すに時間が掛かる等の不都合が生じる。このため、この実施形態では、当該リスト領域３６に表示されるトラップを制限することができる。
【００５４】
即ち、リスト領域３６の上方に表示されている“Select Traps”と記されたボタン４０がタッチされると、図示しない選択条件設定画面（ダイアログボックス）が表示される。この選択条件設定画面においては、リスト領域３６に表示させるトラップの条件、例えばエリアや設置日等を任意に設定することができる。そして、この条件が設定され、選択条件設定画面が閉じられると、当該設定された条件を満足するトラップのみの情報が、リスト領域３６に表示される。
【００５５】
ここで、例えば、リスト領域３６内の文字列１１０，１１０，…のいずれかがタッチされる、つまり当該リスト領域３６内においていずれかのトラップが指示される、とする。すると、図１０に示すように、指示されたトラップの文字列（同図において上から５番目の文字列）１１０が、反転表示される。また、マップ領域３４内に当該指示されたトラップに対応するアイコン８６が存在する場合は、そのアイコン８６に付随する文字列８８も反転表示される。従って、このマップ領域３４内で反転表示されている文字列８８の位置、厳密には当該文字列８８が付随されたアイコン８６の位置から、リスト領域３６内で指示されたトラップの実際の設置場所を確認することができる。なお、リスト領域３６内で指示されたトラップがグループアイコン９０に包含されている場合には、上述した吹き出しマーク９８（図５参照）内の対応する文字列８８が、反転表示される。
【００５６】
なお、これとは反対に、マップ領域３４内で任意のトラップが指示された、つまり当該マップ領域３４内の任意のアイコン８６（吹き出しマーク９８内のアイコン８６を含む）がタッチされた、とする。この場合も同様に、指示されたトラップに対応する文字列８８および１１０が、反転表示される。
【００５７】
さらに、図１０に示す状態、つまり任意のトラップが指示されている状態において、マップ領域３４の上方にある“Detail Data”と記されたボタン４４がタッチされると、マップ画面２４上に、図１１に示すような属性情報表示画面（ダイアログボックス）２６が表示される。この属性情報表示画面２６においては、その上部に、横長のタイトルバー２００が表示される。そして、このタイトルバー２００内には、当該属性上方表示画面２６の見出しである例えば“Detail
Data”という文字列２０２が、左詰めで表示される。さらに、このタイトルバー２００の下方のクライアント領域２０４に、現在指示されているトラップの属性情報が表示される。
【００５８】
具体的には、クライアント領域２０４の下部に、“Basic”，“Setting”，“Operation”および“Others”と記された４つのタブ２０６〜２１２が表示される。このうちの例えば“Basic”と記されたタブ２０６がタッチされると、図１１に示すように“エリア（Area）”，“管理番号（Trap
No.）”，“種類（Trap Type）”，“型式（Model）”，“製造会社名（Manufacturer）”等の言わば基本的な情報が表示される。そして、“Setting”と記されたタブ２０８がタッチされると、図には示さないが、“設置日”や“用途”，“蒸気圧力”等の言わば設置条件に関する情報が表示される。さらに、“Operation”と記されたタブ２１０がタッチされると、“検査結果”や“不良率”等の稼働状況に係る情報が表示される。そして、“Others”というタブ２１２がタッチされると、上述した補助的部材に関する情報等が表示される。従って、この属性情報表示画面２６を表示させることで、それぞれのトラップの具体的な属性情報を認識することができる。
【００５９】
なお、この属性情報表示画面２６に表示される属性情報は、言うまでもなくデータベース２２に記憶されている属性データに基づいて表示される。また、この属性情報表示画面２６は、いわゆるダブルクリック操作によっても表示させることができる。即ち、マップ領域３４において任意のアイコン８６がダブルクリック（連続して２回タッチ）されると、当該属性情報表示画面２６が表示される。そして、タイトルバー２００の右端にある“閉じる（×印）”ボタン２１４がタッチされると、この属性情報表示画面２６は閉じられる。
【００６０】
また、図１０に示す状態において、リスト領域３６の下方にある上向きの矢印ボタン７８がタッチされると、当該リスト領域３６内の指示対象（反転表示位置）が上方に向けて１つずつ移動する。つまり、現在指示されているトラップに代えて、その１つ上方に表示されているトラップが新たな指示対象となる。そして、この指示対象の変更に伴い、マップ領域３４においても、現在反転表示されている文字列８８に代えて、新たに指示対象とされたトラップに対応する文字列８８が反転表示される。一方、下向きの矢印ボタン８０がタッチされると、リスト領域３６内の指示対象が下方に向けて１つずつ移動すると共に、マップ領域３４内で反転表示される文字列８８が変更される。
【００６１】
さらに、リスト領域３６の上方であって上述した“Select Traps”ボタン４０の左横方（クライアント領域３３の左上隅）にある“New
Trap”ボタン３８がタッチされると、図示しないトラップ新規登録画面（ダイアログボックス）が表示される。このトラップ新規登録画面は、手動（キーボード操作等）により新規のトラップを登録するための画面である。即ち、このトラップ新規登録画面においてトラップの属性データが手動入力されると、入力された属性データはデータベース２２に記憶され、つまり登録される。そして、登録されたトラップの属性が上述の選択条件設定画面で設定された条件を満足する場合には、そのトラップの情報（識別番号および型式）がトラップ領域３６に追加される。
【００６２】
また、図１２に示すように、リスト領域３６において任意のトラップ（文字列１１０）が指示されている状態で、“Select Traps”ボタン４０の右横方にある“Insert Trap”ボタン４２がタッチされ、さらに同図に符号１１２で示すようにマップ領域３４内の任意の位置がタッチされる、とする。すると、このマップ領域３４内のタッチされた位置１１２に、現在指示されているトラップに対応するアイコン８６が追加される。勿論、この追加されたアイコン８６の態様（文字，色彩および囲み線）は、対応するトラップの属性（“用途”，“稼働状況”および“不良率”）に従う。そして、追加されたアイコン８６の近傍には、上述と同様の文字列８８（識別番号）が表示される。
【００６３】
なお、上述のタッチ位置１１２としてグループアイコン９０がタッチされた場合は、このグループアイコン９０内にトラップが追加される。つまり、上述した吹き出しマーク９６内に、当該トラップに対応するアイコン８６および文字列８８が追加される。
【００６４】
かかるアイコン８６の追加は、いわゆるドラッグ・アンド・ドロップ操作によっても実現することができる。即ち、リスト領域３６内の任意のトラップ（文字列１１０）がマップ領域３４内の任意の位置にドラッグ・アンド・ドロップされると、その位置（ドロップされた位置）に、対応するアイコン８６および文字列８８が追加される。また、グループアイコン９０上にドラッグ・アンド・ドロップされた場合には、当該グループアイコン９０にトラップが追加される。
【００６５】
そして、クライアント領域３３の右上隅にある“All Clear”と記されたボタン５０がタッチされると、上述した第２レイヤ１０８（図９参照）上の全ての要素、つまりアイコン８６，８６，…，文字列８８，８８，…，グループアイコン９０，要注意アイコン９２およびコメントボックス９６が、一括消去される。なお、図には示さないが、当該“All
Clear”ボタン５０がタッチされた後、実際に消去を行っても良いか否かをオペレータに確認するための確認画面が、表示される。そして、この確認画面上で所定の操作が成される、例えば“ＯＫ”ボタンがタッチされることを条件に、当該消去が実行される。
【００６６】
さらに、“All Clear”ボタン５０の下方にある“Remove Trap”ボタン５２がタッチされると、その時点で指示されているアイコン８６およびこれに付随する文字列８８のみが、マップ領域３４から消去される。なお、グループアイコン９０，要注意アイコン９２およびコメントボックス９６についても、これと同様の要領で任意に消去することができる。また、グループアイコン９０（吹き出しマーク９５）内のアイコン８６および文字列８８も、同様の要領で消去できる。そして、この“Remove
Trap”ボタン５２による消去時においても、“All Clear”ボタン５０による消去時と同様の確認画面が表示される。
【００６７】
そしてさらに、“Remove Trap”ボタン５２の下方にある“Group Box”ボタン５４は、グループアイコン９０を作成するためのものである。即ち、この“Group
Box”ボタン５４がタッチされた後、マップ領域３４内の任意の位置がタッチされると、その位置に、グループアイコン９０が作成される。そして、このグループアイコン９０が作成された後は、上述と同じ要領で、当該グループアイコン９０内にトラップ（アイコン８６および文字列８８）が追加される。
【００６８】
また、“Group Box”ボタン５４の下方にある“Label Option”ボタン５６は、アイコン８６に付随する文字列８８の表示態様を変更するためのものである。即ち、いずれかのアイコン８６が指示されている状態で、この“Label
Option”ボタン５６がタッチされると、図示しないラベルオプション画面が表示される。このラベルオプション画面においては、アイコン８６に対する文字列８８の位置を任意に設定することができ、詳しくは当該アイコン８６の上方，下方，右横方および左横方のいずれに文字列８８を配置するのかを選択することができる。また、文字列８８の並び方向、つまり縦書きおよび横書きのいずれかを任意に選択することもできる。さらに、文字列８８を非表示とすることもできる。
【００６９】
“Label Option”ボタン５６の下方にある“Comment Box”ボタン５８は、上述したコメントボックス９４を作成するためのものである。即ち、この“Comment
Box”ボタン５８がタッチされた後、マップ領域３４内の任意の位置がタッチされると、その位置に、デフォルト状態（文字列１０４が未入力）のコメントボックス９４が表示される。そして、このコメントボックス９４内に、任意の文字列（コメント）１０４が手動入力される。なお、入力される文字列１０４の長さ（文字数）に応じて、コメントボックス９４のサイズが自動的に設定される。また、文字列１０４が入力された後も、例えばコメントボックス９４をダブルクリックすることによって、当該文字列１０４の内容を変更することができる。
【００７０】
さらに、マップ領域３４内の任意のアイコン８６が、当該マップ領域３４内の別の位置にドラッグ・アンド・ドロップされると、その位置に、当該任意のアイコン３６がこれに付随する文字列８８と共に移動する。なお、グループアイコン９０，要注意アイコン９２およびコメントボックス９６についても、同様の要領で移動させることができる。また、アイコン８６の移動先がグループアイコン９０上である場合には、当該アイコン８６は文字列８８と共にグループアイコン９０（吹き出しマーク９８）に追加される。
【００７１】
そして、“Comment Box”ボタン５８の下方にある“Symbol Define”ボタン６０がタッチされると、マップ画面２４上に、図１３に示すような不良率判定基準定義画面（ダイアログボックス）２８が表示される。この不良率判定基準定義画面２８は、上述した“不良率”を判定する際の判定基準を定義するための画面である。
【００７２】
即ち、この不良率判定基準定義画面２８においては、その上部に、横長のタイトルバー３００が表示され、このタイトルバー３００内には、当該不良率判定基準定義画面２８の見出しである例えば“Symbol Definition”という文字列３０２が、左詰めで表示される。そして、このタイトルバー３００の下方のクライアント領域３０４に、３つのフィールド３０６，３０８および３１０が表示される。このうち、フィールド３０６には、異常の種類Ｘ、具体的には“All
failure（全ての異常）”，“Leak（漏れ小を除く漏れ）”，“Blocked（詰まり）”および“Fail Pipe or Valve（その他の異常）”という４つの文字列３１２，３１２，…が、縦一列に表示される。そして、このフィールド３０６の下方には、これら４つの文字列３１２，３１２，…のいずれかを選択するための上下２つの矢印ボタン３１４および３１６が表示される。この矢印ボタン３１４および３１６の操作によって選択された文字列３１２は、反転表示される。そして、フィールド３０８には、異常の発生回数Ｙを表す任意の数値が入力される。この数値は、当該フィールド３０８を間に挟んでその上下にある２つの矢印ボタン３１８および３２０によって変更可能とされている。さらに、フィールド３１０には、当該異常発生回数Ｙのカウント対象期間（年数）Ｚを表す任意の数値が入力される。この数値もまた、当該フィールド３１０の上下にある２つの矢印ボタン３２２および３２４によって任意に変更可能とされている。
【００７３】
これらのフィールド３０６，３０８および３１０内のＸ，ＹおよびＺは、“X occurs
less than Y times in Z years.”という文字列３２６を構成する。そして、この文字列３２６の上方には、当該文字列３２６の題目である“Low
rate Failure”という文字列３２８が表示される。つまり、これらの文字列３２６および３２８によって、“過去Ｚ年間における異常Ｘの発生回数がＹよりも少ないトラップは低不良率であると判定する。”という当該“低不良率”の判定基準が定義される。なお、図１３は、“過去５年間における全ての異常の発生回数がいずれも３回未満であるトラップは低不良率であると判定する。”と定義されている状態を示す。また、文字列３２８の左横方には、“低不良率”のシンボルマーク（アイコン８６を模擬したもの）３３０が表示される。
【００７４】
そして、上述の文字列３２６（矢印ボタン３１４および３１６）の下方には、“高不良率”のシンボルマーク３３２と、“High rate Failure”という文字列３３４とが、横並びで表示される。さらに、これらシンボルマーク３３２および文字列３３４の下方に、３つの矩形枠３３６，３３８および３４０が表示され、これらの矩形枠３３６，３３８および３４０内には、上述のフィールド３０６，３０８および３１０内と同じ情報Ｘ，ＹおよびＺが表示される。そして、これらのＸ，ＹおよびＺは、“X
occurs Y times or more in Z years.”という文字列３４２を構成する。つまり、文字列３３４および３４２によって、“過去Ｚ年間における異常Ｘの発生回数がＹ以上であるトラップは高不良率であると判定する。”という当該“高不良率”の判定基準が定義される。
【００７５】
さらに、文字列３４２の下方には、“OK”ボタン３４４と“Cancel”ボタン３４６とが横並びで表示されており、このうちの“OK”ボタン３４４がタッチされると、その時点で定義されている判定基準が確定され、その後、不良率判定基準定義画面２８が閉じられる。そして、確定された判定基準に基づいて、それぞれのトラップが“低不良率”および“高不良率”のいずれに属するのかが判定し直され、その判定結果に基づいて、データベース２２内の“不良率”項が更新される。そしてさらに、この更新された“不良率”項に基づいて、上述のアイコン８６，８６，…（囲み線）が表示し直される。
【００７６】
一方、不良率判定基準定義画面２８の“Cancel”ボタン３４６がタッチされた場合は、判定基準は据え置かれる。そして、不良率判定基準定義画面２８が閉じられ、当該不良率判定基準定義画面２８が表示される前（“Symbol
Define”ボタン６０がタッチされる前）の状態に戻る。タイトルバー３００の右端にある“閉じる”ボタン３４８がタッチされた場合も、この“Cancel”ボタン３４６がタッチされた場合と同様である。
【００７７】
再び図３に戻って、マップ領域３４の下方にある“ズームイン”ボタン７０および“ズームアウト”ボタン６８のいずれかがタッチされると、マップ領域３４内の表示倍率が変更される。具体的には、０．５倍，１．０倍，１．５倍，２．０倍，３．０倍および５．０倍の範囲内で、当該表示倍率が変更される。そして、現在の倍率が、マップ領域３４の上方にあるフィールド８２に表示される。なお、表示倍率が変わると、当然に各アイコン８６，８６，…，グループアイコン９０，要注意アイコン９２およびコメントボックス９６間の相対的な位置関係（間隔）が変わるが、個々のアイコン８６，グループアイコン９０，要注意アイコン９２およびコメントボックス９６自体のサイズは、変わらない。また、文字列８８，８８，…，吹き出しマーク９８および付箋マーク１００自体のサイズも、変わらない。
【００７８】
そして、“ズームイン”ボタン７０および“ズームアウト”ボタン６８と横並びで配置されている上下左右の矢印ボタン６４，６６，７２および７４は、上述したマップ領域３４の表示倍率が１．０倍よりも大きいときに、当該マップ領域３４の表示対象箇所を移動（スライド）させるためのものである。即ち、マップ領域３４の表示倍率が１．０倍よりも大きいとき、換言すれば当該マップ領域３４にエリア全体が表示されていないときは、これらの矢印ボタン６４，６６，７２および７４を操作することで、マップ領域３４内に希望の箇所を表示させることができる。
【００７９】
そしてさらに、上述の表示倍率が１．０倍よりも大きいときに、クライアント領域３３（マップ画面２４）の左下隅にある“Centering”ボタン７６がタッチされると、マップ領域３４の中心がエリアの中心に合わせられる。つまり、エリアの中心部分（およびその周辺）がマップ領域３４に表示される。
【００８０】
また、マップ領域３４の上方にある“Read Tag ID” と記されたボタン４６がタッチされると、図示しないＩＤ読み込み画面（ダイアログボックス）が表示される。このＩＤ読み込み画面は、上述のＩＤ読み込み装置から任意のトラップの属性データを取り込むときに、用いられる。
【００８１】
即ち、個々のトラップには、図示しない個別のＩＤタグが取り付けられており、このＩＤタグには、それが取り付けられているトラップの属性データが予め記録されている。このＩＤタグに記録された属性データは、トラップ管理装置１０に接続された状態にあるＩＤ読み込み装置によって読み込まれ、読み込まれた属性データは、当該ＩＤ読み込み装置からトラップ管理装置１０に転送される。そして、トラップ管理装置１０に転送された属性データは、データベース２２に記憶されている各トラップの属性データと照合される。
【００８２】
ここで、ＩＤタグから読み込まれた属性データが未登録のトラップのものである場合、その属性データはデータベース２２に新規に記憶される。つまり、トラップの新規登録が自動的に行われる。一方、ＩＤタグから読み込まれた属性データが登録済みのトラップのデータである場合には、そのトラップは検査対象として設定される。そして、この検査対象とされたトラップを表す文字列１１０がリスト領域３６内に存在する場合には、当該文字列１１０が反転表示される。また、マップ領域３４内に当該検査対象とされたトラップに対応するアイコン８６が存在する場合には、そのアイコン８６に付随する文字列８８も反転表示される。
【００８３】
上述のＩＤ読み込み画面が閉じられた後、マップ領域３４の上方にある“Go
Testing”と記されたボタン４８がタッチされると、トラップ管理装置１０は、検査待ちの状態（モード）になる。この検査待ちの状態においては、トラップ管理装置１０に上述のトラップ検査装置が接続されていることが、前提とされる。
【００８４】
即ち、トラップ検査装置によって任意のトラップ、厳密には現在検査対象とされているトラップの検査が行われると、その検査結果を表すデータが、トラップ検査装置からトラップ管理装置１０に転送される。そして、このトラップ管理装置１０に転送されたデータは、現在検査対象とされているトラップの“検査結果”データとして、データベース２０に記憶される。さらに、この新たな“検査結果”に基づいて、上述した“不良率”が判定し直され、言わばデータベース２２の内容が更新される。そして、更新されたデータベース２２に基づいて、マップ領域３４が改めて表示し直される。
【００８５】
さらに、クライアント領域３３の右下にある“Close”ボタン１１４がタッチされると、マップ画面２４の表示が終了されて、上述したメイン画面に戻る。また、タイトルバー３０の右端にある“閉じる”ボタン１１６がタッチされた場合も、同様である。
【００８６】
なお、新規にマップファイルを作成するには、次の手順による。即ち、まず、任意の画像データを用意し、その画像データをトラップ管理プログラムによる所定の手順で読み出すことで、平面図８４のみの新規のマップファイルを作成する。そして、例えば実際の設計図等を参照しながら、当該平面図８４上に、上述した要領で適宜アイコン８６，８６，…，グループアイコン９０およびコメントボックス９６を追加すればよい。
【００８７】
ところで、上述した“Select Traps”ボタン４０による操作、またはリスト領域３６からマップ領域３４へのドラッグ・アンド・ドロップ操作によって、当該マップ領域３４にアイコン８６が追加されるとき、制御部１２（ＣＰＵ）は、次のような処理を実行する。
【００８８】
即ち、図１４に示すように、制御部１２は、まず、ステップＳ１において、データベース２２を参照し、現在指示されているトラップの属性データを確認する。そして、ステップＳ３に進み、当該ステップＳ１で確認した属性データに基づいて、これから表示しようとするアイコン８６の態様を決定する。具体的には、当該属性データのうちの“用途”，最新の“検査結果”および“不良率”に基づいて、アイコン８６に付される文字，色彩および囲み線の種類を決定する。そして、ステップＳ５において、当該ステップＳ３で決定された態様に従ってアイコン８６を表示（追加）する。さらに、ステップＳ７において、当該アイコン８６の近傍、例えば右横方に、識別番号を表示して、この図１４で示される一連の処理を終了する。
【００８９】
以上のように、この実施形態によれば、各アイコン８６，８６，…の態様、具体的には当該アイコン８６，８６，…に付された文字，色彩および囲み線の種類という複数種の態様によって、それぞれに対応するトラップの用途，稼働状況および不良率という複数種の属性を、直観的かつ同時に把握することができる。これは、多数のトラップが設置されている蒸気プラントを管理する上で、極めて有効である。従って、それぞれの機器の詳しい属性を知るのに当該機器毎にダブルクリック操作が必要となる上述した従来技術に比べて、当該蒸気プラントを効率的に管理することができ、ひいては当該管理に係る作業コストを削減することができる。
【００９０】
なお、この実施形態においては、スチームトラップを管理するためのトラップ管理装置１０を例に挙げて説明したが、これに限らない。例えば、エアトラップやガストラップ等のスチームトラップ以外のトラップを管理するための装置に、この発明を適用してもよい。また、回転機や圧力容器等のトラップ以外の機器を管理する装置にも、この発明を適用できることは、言うまでもない。
【００９１】
また、上述のトラップ管理プログラムは、ＣＤ−ＲＯＭによって供給されることとしたが、これに限らない。例えば、ＦＤ（Flexible Disc）やＤＶＤ（Digital Versatile Disc）等の他の記憶媒体によって供給されてもよいし、インターネット等の電気通信回線を通じて供給されてもよい。
【００９２】
さらに、各アイコン８６，８６，…に付されている文字，色彩および囲み線の種類によって、トラップの用途，稼働状況および不良率を表すこととしたが、これに限らない。例えば、各アイコン８６，８６，…の形状や模様等の他の態様によって、トラップの属性を表してもよい。また、アイコン８６，８６，…の態様によって表される属性としては、用途，稼働状況および不良率に限らず、例えばトラップの種類や型式等であってもよい。
【００９３】
そして、平面図８４については、ビットマップ形式やＧＩＦ形式，ＪＰＥＧ形式等の画像データに基づいて表示されることとしたが、これに限らない。例えば、ＣＡＤ（Computer Aided Design）やＣＡＭ（Computer Aided Manufacturing）等のデータに基づいて表示されてもよいし、画面上で任意に描画されるものであってもよい。また、平面図８４に限らず、配管図や鳥瞰図等を見取図として表示してもよい。
【００９４】
そしてさらに、トラップ管理装置１０を実現するためのハードウェア構成として、タブレットＰＣを採用したが、これに限らない。例えば、ノートブック型ＰＣやパームトップ・コンピュータを採用してもよい。また、デスクトップ型ＰＣを採用してもよいが、携帯性を考慮すると、言うまでもなくタブレットＰＣが有利である。さらに、これらの汎用型コンピュータではなく、トラップ管理プログラムが組み込まれたトラップ管理装置１０専用の装置を構成してもよい。
【００９５】
なお、この実施形態で説明した内容、例えば図２に示すデータベース２２や、図３に示す画面構成等は、飽くまでこの発明を実現するための一例であって、これ以外の形態により本発明を実現してもよい。
【図面の簡単な説明】
【００９６】
【図１】この発明の一実施形態の概略構成を示すブロック図である。
【図２】同実施形態におけるデータベースの内容を概念的に示す図解図である。
【図３】同実施形態において表示されるマップ画面の一例を示す図解図である。
【図４】同実施形態におけるアイコンの態様を示す一覧である。
【図５】図３とは異なるマップ画面の表示例を示す図解図である。
【図６】同実施形態におけるグループアイコンの表示態様を示す図解図である。
【図７】図５とはさらに異なるマップ画面の表示例を示す図解図である。
【図８】同実施形態における要注意アイコンの表示態様を示す図解図である。
【図９】同実施形態におけるマップ領域の構成を示す図解図である。
【図１０】図７とはさらに異なるマップ画面の表示例を示す図解図である。
【図１１】同実施形態において表示される属性情報表示画面の一例を示す図解図である。
【図１２】図１０とはさらに異なるマップ画面の表示例を示す図解図である。
【図１３】同実施形態において表示される不良率判定基準定義画面の表示例を示す図解図である。
【図１４】同実施形態における制御部の動作の一部を示すフローチャートである。
【符号の説明】
【００９７】
１０  トラップ管理装置
１２  制御部
１４  操作部
１６  表示部
１８  記憶部
２２  データベース
２４  マップ画面
３４  マップ領域
８４  平面図
８６  アイコン
８８  文字列
９０  グループアイコン
９２  要注意アイコン
９６  コメントボックス
【図１】
2006059236.tif 000003
【図２】
2006059236.tif 000004
【図３】
2006059236.tif 000005
【図４】
2006059236.tif 000006
【図５】
2006059236.tif 000007
【図６】
2006059236.tif 000008
【図７】
2006059236.tif 000009
【図８】
2006059236.tif 000010
【図９】
2006059236.tif 000011
【図１０】
2006059236.tif 000012
【図１１】
2006059236.tif 000013
【図１２】
2006059236.tif 000014
【図１３】
2006059236.tif 000015
【図１４】
2006059236.tif 000016